(57)【要約】【課題】より簡易に取付パネルへ取り付けることができる回路遮断器の取付パネルへの取付構造を提供する。【解決手段】ロック部３２を、本体ケース４の底面から下方へ突出するロック位置と、本体ケース４内へ埋入するアンロック位置との間を上下にスライド可能とするとともに、ロック部材３０に、ロック部３２を下方へ付勢し、ロック部材３０に上方への負荷がかけられていない状態ではロック部３２をロック位置で保持するコイルバネ３３を取り付けた。また、ロック部３２に、ロック部３２よりも下方へ突出するとともに、本体ケース４の底面に沿って後方へ延びる板状で、前スリット２２内に入り込み可能な干渉片３４を設け、回路遮断器１の取付パネル２０への取り付け時に、本体ケース４の前端において本体ケース４の底部と取付パネル２０とが当接するよりも前に干渉片３４と取付パネル２０とが当接するようにした。【選択図】図６
2019145470.tif 000002
【特許請求の範囲】
【請求項１】
本体ケースの底面に、後方へ屈曲する鉤状に成形された２つの掛止片が突設されているとともに、前記本体ケースの前端底部に、前記本体ケースの底面から下方へ突出可能なロック部を備えたロック部材が設けられた回路遮断器を取付パネルへ取り付けるための取付構造であって、
前記取付パネルにおいて、各前記掛止片が夫々挿通可能で前後方向へ延びる２つのスリットが設けられており、
各前記掛止片を夫々対応する前記スリットに挿通させ、各前記スリットの後端に各前記掛止片を夫々掛止させるとともに、前記ロック部を前側の前記スリット内に位置させ、当該スリットの前端と前記ロック部とを当接させることにより、前記回路遮断器を前記取付パネルに固定可能とする一方、
前記回路遮断器において、前記ロック部が、前記本体ケースの底面から下方へ突出するロック位置と、前記本体ケース内へ埋入するアンロック位置との間を上下にスライド可能となっているとともに、
前記ロック部材に、前記ロック部を下方へ付勢し、前記ロック部材に上方への負荷がかけられていない状態では前記ロック部を前記ロック位置で保持する弾性手段が設けられており、
さらに、前記ロック部に、前記ロック部よりも下方へ突出するとともに、前記本体ケースの底面に沿って後方へ延びる板状で、前側の前記スリット内に入り込み可能な干渉片が設けられており、前記回路遮断器の前記取付パネルへの取り付け時に、前記本体ケースの前端において前記本体ケースの底部と前記取付パネルとが当接するよりも前に前記干渉片と前記取付パネルとが当接するようにしたことを特徴とする回路遮断器の取付パネルへの取付構造。
【発明の詳細な説明】
【技術分野】
【０００１】
本発明は、たとえば分電盤内等に設置される回路遮断器の取付パネルへの取付構造に関するものである。
【背景技術】
【０００２】
従来、回路遮断器を分電盤内に設置する際には、取付パネルを介することが一般的である。そして、回路遮断器を取付パネルに取り付ける一般的な構造としては、取付パネルにスリットを開設するとともに、回路遮断器の底面に、スリットに掛止する掛止片を設けるといった構造があり、回路遮断器の電源側端子側を後側、負荷側端子側を前側とすると、スリットを介して掛止片を取付パネルの下側まで突出させた後、回路遮断器を後側へ押し込むことで、スリットの後端に掛止片を掛止させるようになっている。ただ、当該状態のままでは回路遮断器は固定されていない。そこで、たとえば特許文献１に記載の発明では、回路遮断器に、上下方向へのスライド操作によって本体ケース内へ埋入／本体ケースから突出するロックレバーを設けており、スリットと掛止片との掛止状態においてロックレバーを下方へスライドさせて本体ケースから突出させ、ロックレバーとスリットの前端とを当接させることにより、自身の前側への移動が規制されるようにしている。
【先行技術文献】
【特許文献】
【０００３】
【特許文献１】特許第４１５３１５５号公報
【発明の概要】
【発明が解決しようとする課題】
【０００４】
しかしながら、上記特許文献１に記載の発明では、特に回路遮断器の取付パネルへの取り付け時に一々ロックレバーを操作しなければならず、作業が煩わしい、ロックのし忘れが起こる等の問題があった。
【０００５】
そこで、本発明は、上記問題に鑑みなされたものであって、より簡易に取付パネルへ取り付けることができる回路遮断器の取付パネルへの取付構造を提供しようとするものである。
【課題を解決するための手段】
【０００６】
上記目的を達成するために、本発明は、本体ケースの底面に、後方へ屈曲する鉤状に成形された２つの掛止片が突設されているとともに、前記本体ケースの前端底部に、前記本体ケースの底面から下方へ突出可能なロック部を備えたロック部材が設けられた回路遮断器を取付パネルへ取り付けるための取付構造であって、前記取付パネルにおいて、各前記掛止片が夫々挿通可能で前後方向へ延びる２つのスリットが設けられており、各前記掛止片を夫々対応する前記スリットに挿通させ、各前記スリットの後端に各前記掛止片を夫々掛止させるとともに、前記ロック部を前側の前記スリット内に位置させ、当該スリットの前端と前記ロック部とを当接させることにより、前記回路遮断器を前記取付パネルに固定可能とする一方、前記回路遮断器において、前記ロック部が、前記本体ケースの底面から下方へ突出するロック位置と、前記本体ケース内へ埋入するアンロック位置との間を上下にスライド可能となっているとともに、前記ロック部材に、前記ロック部を下方へ付勢し、前記ロック部材に上方への負荷がかけられていない状態では前記ロック部を前記ロック位置で保持する弾性手段が設けられており、さらに、前記ロック部に、前記ロック部よりも下方へ突出するとともに、前記本体ケースの底面に沿って後方へ延びる板状で、前側の前記スリット内に入り込み可能な干渉片が設けられており、前記回路遮断器の前記取付パネルへの取り付け時に、前記本体ケースの前端において前記本体ケースの底部と前記取付パネルとが当接するよりも前に前記干渉片と前記取付パネルとが当接するようにしたことを特徴とする。
【発明の効果】
【０００７】
本発明によれば、回路遮断器に設けられたロック部材において、ロック部が、本体ケースの底面から下方へ突出するロック位置と、本体ケース内へ埋入するアンロック位置との間を上下にスライド可能となっているとともに、ロック部材に、ロック部を下方へ付勢し、ロック部材に上方への負荷がかけられていない状態ではロック部をロック位置で保持する弾性手段が設けられている。また、ロック部に、ロック部よりも下方へ突出するとともに、本体ケースの底面に沿って後方へ延びる板状で、前側のスリット内に入り込み可能な干渉片が設けられており、回路遮断器の取付パネルへの取り付け時に、本体ケースの前端において本体ケースの底部と取付パネルとが当接するよりも前に干渉片と取付パネルとが当接するようにしている。そのため、回路遮断器の取付パネルへの取り付けにあたり、掛止片をスリットに挿通させるとともに干渉片を取付パネルの表面に当接させた状態から回路遮断器に下方への負荷をかけるだけで、ロック部は自動的にアンロック位置側へスライドし、そのまま掛止片がスリットの一端に掛止されるように回路遮断器を後方へ押し込めば、ロック部が最終的にロック位置へ復帰して回路遮断器が取付パネルへ固定されることになる。すなわち、作業者は、一々ロック部材を操作せずとも、回路遮断器を取付パネルへ固定することができる。したがって、ロックをし忘れたりすることもなく、従来よりも簡易に回路遮断器を取付パネルへ固定することができる。また、各掛止片を各スリットに挿通させる際に、干渉片と取付パネルとが当接しやすいため、ロック部材をアンロック位置へ確実にスライドさせることができる。
【図面の簡単な説明】
【０００８】
【図１】取付パネルへ取り付けた状態にある回路遮断器を側方から示した説明図である。
【図２】導体バーが配設された取付パネルを示した斜視説明図である。
【図３】ロック部材を示した斜視説明図である。
【図４】ロック部材がロック位置にある状態を示した説明図である。
【図５】ロック部材がアンロック位置にある状態を示した説明図である。
【図６】回路遮断器を取付パネルへ取り付ける途中段階を示した説明図である。
【図７】干渉片の先端が取付パネルに干渉する様子を示した説明図である。
【発明を実施するための形態】
【０００９】
以下、本発明の一実施形態となる回路遮断器の取付パネルへの取付構造について、図面にもとづき詳細に説明する。
図１は、取付パネル２０へ取り付けた状態にある回路遮断器１を側方から示した説明図である。図２は、導体バー１１、１１・・が配設された取付パネル２０を示した斜視説明図である。図３は、ロック部材３０を示した斜視説明図である。図４は、ロック部材３０がロック位置にある状態を示した説明図である。図５は、ロック部材３０がアンロック位置にある状態を示した説明図である。図６は、回路遮断器１を取付パネル２０へ取り付ける途中段階を示した説明図である。図７は、干渉片３４の先端が取付パネル２０に干渉する様子を示した説明図である。
【００１０】
回路遮断器１は、合成樹脂製の左右一対のケースを組み立ててなる本体ケース４を有しており、本体ケース４の上面には、ハンドル７が前後方向へ回動操作可能に設けられている。そして、ハンドル７を回動操作することで、本体ケース４内に組み込まれている図示しない遮断機構が作動し、後述する電源側端子２と負荷側端子３とを電気的につなぐ電路が接続／開放されるようになっている。また、本体ケース４の底面には、後方へ屈曲する鉤状に成形された一組の掛止片（前掛止片８及び後掛止片９）が下方へ突設されている。なお、本体ケース４内には、図示しない過電流検知機構も設けられており、過電流を検知すると上記遮断機構が開動作するようになっている。
【００１１】
また、回路遮断器１の後面には、プラグイン方式の端子Ｐ１、Ｐ２、Ｐ３を上下方向へ一列に備えてなる電源側端子２が配置されている。各端子Ｐ１〜Ｐ３は、本体ケース４を左右方向に貫通したコ字状に切り欠いて形成されており、取付パネル２０の後部に配設される電源ラインである導体バー１１を挿入接続可能となっている。一方、回路遮断器１の前面は、前側へ向かって下降傾斜する傾斜面に形成されており、該傾斜面には、負荷配線（図示せず）を挿入接続可能な３つの端子（図示せず）を傾斜方向へ一列に備えてなる負荷側端子３が配置されている。各端子は、傾斜面に直交する方向へ負荷配線を挿入可能な端子孔（図示せず）を有するとともに、本体ケース４内における端子孔の内側となる位置に設置され、端子を介して挿入された負荷配線に接触可能とされた端子金具（図示せず）を有しており、所謂速結端子として機能するようになっている。
【００１２】
加えて、本体ケース４の底部前端には、下方へ開口しており、後述するロック部材３０の一部を収納可能な収納凹部２５が設けられている。また、本体ケース４の前面底部には、収納凹部２５と連通する操作窓２６が開設されている。そして、この収納凹部２５に、回路遮断器１の取付パネル２０からの脱落を防止するためのロック部材３０が組み付けられている。なお、前掛止片８、後掛止片９、及びロック部材３０は、前後方向で一直線上に設けられている。
【００１３】
ロック部材３０は、上下方向へ延びる帯状の立ち上げ部３１ａ、立ち上げ部３１ａの上端から前側へ突出する摘み部３１ｂ、及び立ち上げ部３１ａの下端から後側へ突出する基部３１ｃを有する操作片３１と、基部３１ｃから下方へ突出するロック部３２とを一体的に備えてなる。また、ロック部３２の上面には、上方へ突出する取付軸３２ａが設けられており、当該取付軸３２ａを巻回する格好でコイルバネ３３（図４に示す）が取り付けられている。さらに、ロック部３２における取付軸３２ａの左右両側には、ロック部材３０の本体ケース４への取付時に本体ケース４の表面（具体的には、収納凹部２５の内面）に当接し、ロック部材３０の上下方向への移動をスムーズに案内するため案内ブロック３２ｂ、３２ｂが設けられている。
【００１４】
加えて、ロック部３２の後面には、後方へ突出する干渉片３４が設けられている。該干渉片３４は、後側へ向かって下降傾斜しロック部３２よりも下方まで突出した後、後方へ延びる板状に成形されている。また、干渉片３４は、前スリット２２内に入り込み可能な大きさであるとともに、その前後方向長さは、後述する取付パネル２０の前スリット２２の中央あたりに前掛止片８を位置させた際に、干渉片３４が取付パネル２０の前縁に干渉する長さとなっている。言い換えれば、干渉片３４と取付パネル２０との距離は、前スリット２２の前後長さの半分よりも短くなっている。
【００１５】
このようなロック部材３０は、収納凹部２５内に案内ブロック３２ｂ、３２ｂやコイルバネ３３が収納され、操作片３１が操作窓２６を介して本体ケース４の前方に突出した状態で組み付けられている。また、この組み付け状態において、干渉片３４は、収納凹部２５から本体ケース４よりも下方へ突出し、本体ケース４の底面に沿って後方へ延びる状態となる。
【００１６】
そして、上記ロック部材３０は、通常（ロック部材３０に上方への負荷がかけられていない状態）、コイルバネ３３の付勢力により操作片３１の基部３１ｃが操作窓２６の下端に当接した状態にあり、ロック部３２及び干渉片３４は本体ケース４の底面よりも下方へ突出したロック位置で保持されている。また、直接ロック部３２や干渉片３４に上方への負荷がかかったり、コイルバネ３３の付勢力に抗して操作片３１が上方へ操作されたりして、操作片３１の基部３１ｃが操作窓２６の上端に当接するまで移動すると、ロック部３２は本体ケース４内へ埋入したアンロック位置へ移動する。なお、ロック部３２がアンロック位置にある場合でも、干渉片３４は、本体ケース４よりも下方に位置し、本体ケース４の底面に当接している。
【００１７】
一方、取付パネル２０は、前端が下方へ折り曲げられてなるもので、前縁側には前スリット２２が開設されている一方、前スリット２２の後方には後スリット２３が開設されている。そして、前スリット２２及び後スリット２３は、前後方向へ一直線上に設けられているとともに、回路遮断器１の並設方向へ所定間隔毎に複数組設けられている。また、取付パネル２０の後スリット２３よりも更に後側となる位置には、回路遮断器１の電源側端子２が接続される３つの導体バー１１、１１・・が周知の支持部材１２を介して配設されている。
【００１８】
前スリット２２は、前掛止片８を挿通可能なスリットであって、その後端に前掛止片８の屈曲部を掛止させることにより、回路遮断器１の上方向への移動を規制するようになっている。また、前スリット２２の前端と挿通状態にあるロック部３２とが干渉することにより、回路遮断器１の前後方向への移動を規制するようになっている。したがって、前スリット２２の前後長さは、回路遮断器１におけるロック部３２の前面から前掛止片８の屈曲部までの前後方向での距離と同じとなっている。
【００１９】
後スリット２３は、後掛止片９を挿通可能なスリットであって、その後端に後掛止片９の屈曲部を掛止させることにより、回路遮断器１の上方向への移動を規制するようになっている。また、後スリット２３の後端から前スリット２２の後端までの前後方向での距離は、回路遮断器１における前掛止片８と後掛止片９との前後距離と同じとされており、前掛止片８を前スリット２２に掛止させると、後掛止片９の屈曲部も同時に掛止するようになっている。
【００２０】
ここで、上記ロック部材３０を有する回路遮断器１の取付パネル２０への着脱作業について説明する。
まず、回路遮断器１を取付パネル２０に取り付けるにあたっては、取付パネル２０の上方から回路遮断器１を取付パネル２０に近接させて、前掛止片８を前スリット２２に、後掛止片９を後スリット２３に夫々挿通させる。このとき、後スリット２３よりも後側に配設されている導体バー等との干渉を避けるべく、各掛止片８、９を各スリット２２、２３の中央あたりから挿通させる（ロック部３２の少なくとも一部が取付パネル２０よりも前方に位置する位置から挿通させる）ことになる。ただ、各掛止片８、９が各スリット２２、２３をくぐり抜ける途中の段階で、特に本体ケース４の前端において本体ケース４の底面が取付パネル２０の表面に当接するよりも前に、干渉片３４が取付パネル２０の前縁上面に当接した状態になる（図６）。そこで、当該状態から、回路遮断器１に対して下方へ負荷をかけてロック部材３０をアンロック位置側へ移動させつつ、回路遮断器１を後側へ押し込めばよい。すると、干渉片３４の傾斜面に沿って本体ケース４の前端が徐々に取付パネル２０の表面に近づき、最終的に干渉片３４全体が前スリット２２内に入り込んだことをもって、回路遮断器１の底面が取付パネル２０の表面に当接する。そのまま、さらに回路遮断器１を後側へ押し込めば、電源側端子２に導体バー１１、１１・・が差し込み接続されるとともに、前掛止片８が前スリット２２の後端に、後掛止片９が後スリット２３の後端に夫々掛止されることになる。そして、両掛止片８、９がスリット２２、２３に掛止したことをもって、ロック部３２全体が前スリット２２の上方に達する。したがって、ロック部３２は、コイルバネ３３の付勢力により前スリット２２内へ自動的に突出してロック位置へ復帰し、前スリット２２の前端に当接して（図１）、回路遮断器１の取付パネル２０への取り付け及び回路遮断器１の導体バーとの接続が完了する。
【００２１】
また、前掛止片８を前スリット２２に、後掛止片９を後スリット２３に夫々挿通させるにあたり、各掛止片８、９が各スリット２２、２３の前端際から挿通させてしまうと、干渉片３４が取付パネル２０の前縁上面に干渉することなく、回路遮断器１の底面が取付パネル２０の表面に当接してしまう（図７）。しかしながら、そのような状態から回路遮断器１を後側へ押し込んだとしても、干渉片３４の先端が取付パネル２０の折り曲げ部に干渉して、それ以上の押し込みが規制されるため、電源側端子２に導体バー１１、１１・・が差し込み接続されたりしない。
【００２２】
一方、回路遮断器１を取付パネル２０から取り外すにあたっては、操作片３１を上方へ操作して、ロック部３２をアンロック位置へ移動させる。すると、ロック部３２と前スリット２２の前端との干渉が解除される、すなわち回路遮断器１の取付パネル２０への固定状態が解除されるため、操作片３１を引き上げた状態のまま、回路遮断器１を前側へ引き出し（ロック部３２がロック用スリット２１よりも前側へ位置するまで引き出し）、電源側端子２から導体バーを引き抜くとともに、前掛止片８と前スリット２２との掛止状態、及び後掛止片９と後スリット２３との掛止状態を夫々解除する。その後、回路遮断器１を上方へ持ち上げて、前掛止片８を前スリット２２から、後掛止片９を後スリット２３から夫々抜き取ればよい。なお、各掛止片８、９と各スリット２２、２３との掛止状態を解除した時点で、操作片３１の引き上げ操作についても解除してよい。
【００２３】
以上のような構成を有する回路遮断器１の取付パネル２０への取付構造によれば、ロック部材３０において、ロック部３２が、本体ケース４の底面から下方へ突出するロック位置と、本体ケース４内へ埋入するアンロック位置との間を上下にスライド可能となっているとともに、ロック部材３０に、ロック部３２を下方へ付勢し、ロック部材３０に上方への負荷がかけられていない状態ではロック部３２をロック位置で保持するコイルバネ３３が取り付けられている。また、ロック部３２に、ロック部３２よりも下方へ突出するとともに、本体ケース４の底面に沿って後方へ延びる板状で、前スリット２２内に入り込み可能な干渉片３４が設けられており、回路遮断器１の取付パネル２０への取り付け時に、本体ケース４の前端において本体ケース４の底部と取付パネル２０とが当接するよりも前に干渉片３４と取付パネル２０とが当接するようにしている。そのため、回路遮断器１の取付パネル２０への取り付けにあたり、両掛止片８、９を夫々対応するスリット２２、２３に挿通させ、干渉片３４が取付パネル２０の表面に当接している状態から回路遮断器１に下方への負荷をかけるだけで、ロック部３２は自動的にアンロック位置側へスライドするとともに、そのまま前掛止片８が前スリット２２の後端に、後掛止片９が後スリット２３に夫々掛止されるように回路遮断器１を後方へ押し込めば、ロック部３２が最終的にロック位置へ復帰して前スリット２２の前端と当接し、回路遮断器１が取付パネル２０へ固定されることになる。すなわち、作業者にしてみると、回路遮断器１の取付パネル２０への固定に際して、一々ロック部材３０を操作する必要がない。したがって、ロックをし忘れたりすることもなく、従来よりも簡易に回路遮断器１を取付パネル２０へ固定することができる。
【００２４】
また、上述したような干渉片３４を設けたことで、各掛止片８、９を各スリット２２、２３に挿通させる際に、干渉片３４と取付パネル２０とが当接しやすいため、ロック部材３０をアンロック位置へ確実にスライドさせることができる。
さらに、ロック部材３０全体が取付パネル２０よりも前方に位置したまま、各掛止片８、９を各スリット２２、２３に挿通させたとしても、干渉片３４の先端と取付パネル２０の前縁とが干渉することで回路遮断器１の後方への押し込みが規制されるため、ロック部材３０が機能しないまま、電源側端子２に導体バー１１、１１・・が差し込み接続されてしまうような事態の発生を防止することができる。
【００２５】
なお、本発明の回路遮断器の取付パネルへの取付構造に係る構成は、上記実施形態の態様に何ら限定されるものではなく、回路遮断器や取付パネルの全体的な構造は勿論、ロック部材に係る構成等についても、本発明の趣旨を逸脱しない範囲で、必要に応じて適宜変更することができる。
【００２６】
たとえば、上記実施形態では、弾性手段としてコイルバネをロック部に取り付けるとしているが、ロック部に板バネ部を一体的に成形して弾性手段を構成してもよく、どのような弾性手段を設けるかは適宜設計変更可能である。
また、ロック部や前掛止片、前スリット等の前後長さをどのようにするかは言うまでもなく設計変更可能である。
【符号の説明】
【００２７】
１・・回路遮断器、２・・電源側端子、３・・負荷側端子、４・・本体ケース、８・・前掛止片、９・・後掛止片、２０・・取付パネル、２２・・前スリット、２３・・後スリット、２５・・収納凹部、２６・・操作窓、３０・・ロック部材、３１・・操作片、３２・・ロック部、３３・・コイルバネ（弾性手段）、３４・・干渉片。
【図１】
2019145470.tif 000003
【図２】
2019145470.tif 000004
【図３】
2019145470.tif 000005
【図４】
2019145470.tif 000006
【図５】
2019145470.tif 000007
【図６】
2019145470.tif 000008
【図７】
2019145470.tif 000009